(57)【要約】【課題】  印刷品質を保証でき、オペレータの高度なスキルを用いずに、インキ供給量と湿し水供給量とのバランスを良好に保ち、且つ更なる生産性の向上を図る。【解決手段】  インキ及び湿し水の供給量を調整するためのインキ・湿し水供給量装置１５を用いて印刷対象に印刷する場合、印刷開始前に、印刷ジョブの情報に基づいてインキキー開度設定と、水元ローラ回転数の設定を行う工程と、刷り出し時の色管理目標値データとインキ量水分量目標値データを設定する工程と、印刷物のカラーバー内のカラーパッチを測定し、色管理測定値データを得る工程と、インキローラｒ１上のインキ膜を測定し、インキ量水分量測定値データを得る工程と、色管理測定値データ及びインキ量水分量測定値データが、それぞれ色管理目標値データ及びインキ量水分量目標値データの許容範囲内に入るように、インキ供給量及び湿し水供給量を制御する工程とを備えている。【選択図】  図１
2005262474.tif 000002
【特許請求の範囲】
【請求項１】
インキ及び湿し水の供給量を調整するためのインキ供給量装置及び湿し水供給量装置を用いて印刷対象に印刷するオフセット印刷方法において、
印刷開始前に、印刷ジョブの情報に基づいてインキキー開度設定と、水元ローラ回転数の設定を行う工程と、
刷り出し時の色管理目標値データとインキ量水分量目標値データを設定する工程と、
印刷物のカラーバー内のカラーパッチを測定し、色管理測定値データを得る工程と、
インキローラ上のインキ膜を測定し、インキ量水分量測定値データを得る工程と、
前記色管理測定値データ及びインキ量水分量測定値データが、それぞれ色管理目標値データ及びインキ量水分量目標値データの許容範囲に入るように、インキ供給量及び湿し水供給量を制御する工程と、
を備えたことを特徴とするオフセット印刷方法。
【請求項２】
前記印刷ジョブの情報は、絵柄面積率であることを特徴とする請求項１記載のオフセット印刷方法。
【請求項３】
請求項１または請求項２に記載のオフセット印刷方法において、
前記インキ供給量及び湿し水供給量を制御する工程は、
前記色管理測定値データと前記色管理目標値データとの差分に基づいて、インキ供給量補正データを算出する工程と、
このインキ供給量補正データに基づいて湿し水供給量補正データを算出する工程と、
を含むことを特徴とするオフセット印刷方法。
【請求項４】
インキ及び湿し水の供給量を調整するためのインキ供給量装置及び湿し水供給量装置を用いて印刷対象に印刷する際に、前記インキ供給量装置及び湿し水供給量装置を制御するための制御演算処理装置であって、
印刷開始前に、印刷ジョブの情報に基づいてインキキー開度設定と、水元ローラ回転数の設定を行う手段と、
刷り出し時の色管理目標値データとインキ量水分量目標値データを設定する手段と、
印刷物のカラーバー内のカラーパッチを測定して得られた色管理測定値データを記憶する手段と、
インキローラ上のインキ膜を測定して得られたインキ量水分量測定値データを記憶する手段と、
前記色管理測定値データ及びインキ量水分量測定値データが、それぞれ色管理目標値データ及びインキ量水分量目標値データの許容範囲に入るように、インキ供給量装置及び湿し水供給量装置を制御する手段と、
を備えたことを特徴とする制御演算処理装置。
【請求項５】
請求項４に記載の制御演算処理装置において、
前記印刷見本のＯＫシートを作成した際に、当該ＯＫシートにおける色管理測定値データを前記色管理目標値データとして記憶装置に設定し、当該ＯＫシートにおけるインキ量水分量測定値データを前記インキ量水分量目標値データとして前記記憶装置に設定する手段、
を備えたことを特徴とする制御演算処理装置。
【請求項６】
請求項４または請求項５に記載の制御演算処理装置において、
色管理目標値データ及び色管理測定値データ、及び／又は、インキ量水分量目標値データ及びインキ量水分量測定値データを図表によって表示するための表示処理手段、
を備えたことを特徴とする制御演算処理装置。
【請求項７】
請求項４乃至請求項６の何れか１項に記載の制御演算処理装置を備えたことを特徴とするオフセット印刷機。
【発明の詳細な説明】
【技術分野】
【０００１】
本発明は、オフセット印刷においてインキ供給量装置及び湿し水供給量装置を制御するオフセット印刷方法及び装置に関する。
【背景技術】
【０００２】
オフセット印刷においては、調子の良い質の高いといった所望の印刷品質をもつ印刷物を得るために、インキ供給量と湿し水供給量を適切に調整する必要がある。従来、インキ供給量と湿し水供給量の調整はオペレータにより行われている。
【０００３】
オペレータは、印刷開始前に色見本を観察し、印刷機のインキキーゾーン毎に墨（Ｋ）、藍（Ｃ）、紅（Ｍ）、黄（Ｙ）の必要なインキ量を決定し、その後、墨、藍、紅、黄のインキ量毎に適切な湿し水量を決定し、印刷を開始する。
【０００４】
印刷の開始後、いわゆる刷りだしの際には、オペレータは、印刷中に印刷物を適宜抜き取り、抜き取った印刷物と色見本を目視で比較し、所望の印刷品質となるように経験に基づいてインキ供給量と湿し水供給量とを調整し、ＯＫシートを得る。なお、ＯＫシートとは、所望の印刷品質をもつとオペレータによって判断された印刷物のことである。
【０００５】
従来の刷りだしでは、オペレータが目視で実印刷物の仕上がり具合を確認し、最適なインキ供給量と湿し水供給量を調整するので、所望の印刷品質を得ることが可能である。しかし、所望の印刷品質を短時間で得るようにインキ供給量と湿し水供給量を調整するのは大変なスキルが要求される。理由は、常に正確にインキプリセットを行ない、常に適切に印刷開始後のインキ供給量及び湿し水供給量のバランスを調整する必要があるからである。
【０００６】
正確なインキプリセットは、より早いＯＫシートの作成を可能にする。逆に言えば、インキプリセットの精度が悪いと、ＯＫシートを得るまで時間が長くかかる。また、適切なインキ供給量と湿し水供給量のバランスは、印刷品質に大きく影響する。インキ供給量と水供給量のバランスが良好であれば、所望の印刷品質を得られるが、逆にバランスが崩れると印刷品質を著しく低下させる。
【０００７】
例えば、湿し水供給量が過多になると、インキが過乳化状態になり、インキ転移が不安定になる。これにより、網点再現性を悪化させ、単色トーンにばらつきを生じさせたり、コントラストを低下させ、仕上がりをフラットな感じにしてしまう。一方、湿し水供給量が過小になると、地汚れなどの印刷障害を発生させる。
【０００８】
このインキ供給量と湿し水供給量のバランスを良好に保つことは、前述したように、オペレータの高いスキルが要求される。
【０００９】
このように、所望の印刷品質を得るには、オペレータのスキルに大きく依存するが、経験豊富な高い判断力を持つオペレータは年々減ってきている。そこで、オペレータの替わりに、インキプリセット装置、インキ供給装置、湿し水供給装置を設定する制御装置が求められており、かかる制御装置の一部は実用化されている。
【００１０】
インキプリセット装置に関しては、例えば印刷版の絵柄面積率情報と実際の印刷時におけるインキキー開度、インキ元ローラ回転数などとの相関データにより、事前にインキプリセット値を設定するインキプリセット装置が知られている。また、近年、ＣＩＰ４（Cooperation for Integration of  Processes in Prepress, Press and Postpress） のＪＤＦ（Job Definition Format）などを用いたインキプリセット装置などが実用化されている。
【００１１】
インキ供給に関しては、印刷紙面上のカラーバー内のカラーパッチから濃度、色データ等を測定して印刷機のインキキー開度を制御するインキ供給量制御装置が提案されている。
【００１２】
湿し水供給に関しては、印刷機のインキローラー表面の任意の検出点のインキ量水分量を赤外線の吸収を用いて計測し、得られた計測値と予め入力又は設定された目標値とを比較演算し、該インキの湿し水供給量を制御する湿し水供給量制御装置などが提案されている。
【００１３】
以上のインキプリセット装置、インキ供給量制御装置、湿し水供給量制御装置は、既に実運用レベルに達しており、印刷現場に普及し始めている。これら各装置を実際に印刷現場で使用するケースとしては、次のケースＡ，Ｂが考えられる。ケースＡは、インキプリセット装置、インキ供給量制御装置、湿し水供給量制御装置を単体で用いる場合である。ケースＢは、インキプリセット装置、インキ供給量制御装置、湿し水供給量制御装置のうち２つを組み合わせて用いる場合である。以下、ケースＡ，Ｂを順次説明する。
【００１４】
（ケースＡ１：インキプリセット装置単体）
インキプリセット装置は、刷版ないしはプリプレスデータの絵柄面積率情報に基づいて、印刷開始前にインキキー毎の適切なインキキー開度を設定する（インキプリセット）装置である。インキプリセット装置の使用により、オペレータのスキルに依存せずに、印刷刷りだし時に必要なインキ量を容易に得られる。
【００１５】
しかしながら、インキプリセット装置は、印刷紙面上の濃度及び／又は色を測定しておらず、最終的な印刷品質を保証できない。具体的には、印刷物濃度が所望の濃度よりも高く又は低くなる場合がある。また、インキプリセット装置は、湿し水供給量とは無関係である。
【００１６】
（ケースＡ２：インキ供給量制御装置単体）
インキ供給量制御装置は、印刷紙面上のカラーバー内のカラーパッチから濃度、色データ等を測定し、得られた測定値データを予め設定した目標値に近づけるように印刷機のインキキー開度を制御する。但し、インキ供給量と湿し水供給量とのバランスは考慮されない。
【００１７】
従って、インキ供給量制御装置は、印刷中のインキ供給量を安定させるが、インキ供給量と湿し水供給量とのバランスを悪くする場合がある。この場合、中間調などで所望の調子が得られないことがある。また、インキ供給量と湿し水供給量とのバランスが更に悪くなると、インキの過乳化や地汚れなどの印刷障害が引き起こされることがある。
【００１８】
（ケースＡ３：湿し水供給量制御装置単体）
湿し水供給量制御装置は、印刷機のインキローラ表面のインキ量水分量を計測し、得られた計測値を予め入力された目標値にするよう、該インキの湿し水供給量を制御するので、インキ供給量と湿し水供給量のバランスを安定化できる。しかし、湿し水供給量制御装置は、印刷紙面上の濃度及び／又は色を測定しておらず、最終的な印刷品質を保証できない。具体的には、印刷物の濃度が所望の濃度よりも高く又は低くなる場合がある。
【００１９】
次に、ケースＢについて述べる。  
（ケースＢ１：インキプリセット装置とインキ供給量制御装置の組合せ）
この組合せは、特許文献１，２等に開示されている。特許文献１，２に記載の技術は、インキプリセットとインキ供給量の調整を自動化するが、インキ供給量と湿し水供給量のバランスを自動化する点が言及されず、オペレータのスキルを必要としている。
【００２０】
（ケースＢ２：インキプリセット装置と湿し水供給量制御装置の組合せ）
この組合せは、インキプリセット、並びにインキ供給量と湿し水供給量のバランスを自動化するが、印刷紙面上の濃度及び／又は色を測定しておらず、最終的な印刷品質を保証できない。
【００２１】
（ケースＢ３：インキ供給量制御装置と湿し水供給量制御装置の組合せ）
この組合せは、特許文献３に提案されている。この提案によれば、インキ供給量と湿し水供給量を常に精度よく制御するため、所望の印刷品質を安定して得られる。また、この提案によれば、地汚れなどの印刷欠陥の撲滅、色合せ時間短縮による生産性の向上を期待できる。
【００２２】
しかしながら、昨今の印刷業界は、厳しい環境に取り巻かれており、また環境対応の観点から、更なる色合せ時間短縮によるヤレ紙低減が求められている状況にある。具体的には、印刷前に適切なインキ供給量と湿し水量に設定するインキプリセットと湿し水プリセットなどの高精度化などによる、より早いＯＫシート作成が求められているため、更なる色合わせ時間短縮によるヤレ紙低減を図る必要があると考えられる。
【特許文献１】特開２００１−３４１２８７号公報
【特許文献２】特開２００１−３４７６４５号公報
【特許文献３】特開２００４−４２４１１号公報
【発明の開示】
【発明が解決しようとする課題】
【００２３】
以上説明したように従来のオフセット印刷においては、ケースＡ１〜Ａ３，Ｂ１〜Ｂ３に述べたように、インキプリセット、インキ供給量、並びに湿し水供給量を個別に又はこのうち２つの組合せで制御する場合があるが、いずれの場合にも問題点がある。
【００２４】
例えばケースＡ１，Ａ３は、最終的な印刷品質を保証できず、ケースＡ２は、インキ供給量と湿し水供給量とのバランスを悪くする場合がある。ケースＢ１は、オペレータのスキルを必要とし、ケースＢ２は、最終的な印刷品質を保証できない。ケースＢ３は、更なる生産性の向上が期待されている。
【００２５】
従って、各ケースＡ１〜Ａ３，Ｂ１〜Ｂ３の問題点を解消する観点から、印刷品質を保証でき、オペレータの高度なスキルを用いずに、インキ供給量と湿し水供給量とのバランスを良好に保ち、且つ生産性の向上を期待できる技術が要望されている。
【００２６】
本発明は上記実情を考慮してなされたもので、印刷品質を保証でき、オペレータの高度なスキルを用いずに、インキ供給量と湿し水供給量とのバランスを良好に保ち、且つ更なる生産性の向上を期待し得るオフセット印刷方法及び装置を提供することを目的とするものである。
【課題を解決するための手段】
【００２７】
請求項１に対応する発明は、インキ及び湿し水の供給量を調整するためのインキ供給量装置及び湿し水供給量装置を用いて印刷対象に印刷するオフセット印刷方法において、印刷開始前に、印刷ジョブの情報に基づいてインキキー開度設定と、水元ローラ回転数の設定を行う工程と、刷り出し時の色管理目標値データとインキ量水分量目標値データを設定する工程と、印刷物のカラーバー内のカラーパッチを測定し、色管理測定値データを得る工程と、インキローラ上のインキ膜を測定し、インキ量水分量測定値データを得る工程と、前記色管理測定値データ及びインキ量水分量測定値データが、それぞれ色管理目標値データ及びインキ量水分量目標値データの許容範囲に入るように、インキ供給量及び湿し水供給量を制御する工程と、を備えたオフセット印刷方法である。
【００２８】
また、請求項２に対応する発明は、前記印刷ジョブの情報が、絵柄面積率である請求項１に対応するオフセット印刷方法である。
【００２９】
さらに、請求項３に対応する発明は、請求項１または請求項２に対応するオフセット印刷方法において、前記インキ供給量及び湿し水供給量を制御する工程としては、前記色管理測定値データと前記色管理目標値データとの差分に基づいて、インキ供給量補正データを算出する工程と、このインキ供給量補正データに基づいて湿し水供給量補正データを算出する工程と、を含むオフセット印刷方法である。
【００３０】
また、請求項４に対応する発明は、インキ及び湿し水の供給量を調整するためのインキ供給量装置及び湿し水供給量装置を用いて印刷対象に印刷する際に、前記インキ供給量装置及び湿し水供給量装置を制御するための制御演算処理装置であって、印刷開始前に、印刷ジョブの情報に基づいてインキキー開度設定と、水元ローラ回転数の設定を行う手段と、刷り出し時の色管理目標値データとインキ量水分量目標値データを設定する手段と、印刷物のカラーバー内のカラーパッチを測定して得られた色管理測定値データを記憶する手段と、インキローラ上のインキ膜を測定して得られたインキ量水分量測定値データを記憶する手段と、前記色管理測定値データ及びインキ量水分量測定値データが、それぞれ色管理目標値データ及びインキ量水分量目標値データの許容範囲に入るように、インキ供給量装置及び湿し水供給量装置を制御する手段と、を備えた制御演算処理装置である。
【００３１】
さらに、請求項５に対応する発明は、請求項４に対応する制御演算処理装置において、前記印刷見本のＯＫシートを作成した際に、当該ＯＫシートにおける色管理測定値データを前記色管理目標値データとして記憶装置に設定し、当該ＯＫシートにおけるインキ量水分量測定値データを前記インキ量水分量目標値データとして前記記憶装置に設定する手段、を備えた制御演算処理装置である。
【００３２】
また、請求項６に対応する発明は、請求項４または請求項５に対応する制御演算処理装置において、色管理目標値データ及び色管理測定値データ、及び／又は、インキ量水分量目標値データ及びインキ量水分量測定値データを図表によって表示するための表示処理手段、を備えた制御演算処理装置である。
【００３３】
さらに、請求項７に対応する発明は、請求項４乃至請求項６の何れか１項に対応する制御演算処理装置を備えたオフセット印刷機である。
【００３４】
（作用）
従って、請求項１，４に対応する発明は、印刷前に印刷ジョブの情報に基づいて、インキキー開度設定（インキプリセット）と、水元ローラ回転数の設定（湿し水プリセット）を行うため、刷り出しから安定した印刷物が得られるとともに、印刷物の色が合い易いという効果を奏する。また、色管理測定値データ及びインキ量水分量測定値データが、それぞれ色管理目標値データ及びインキ量水分量目標値データの許容範囲に入るように、インキ供給量装置及び湿し水供給量装置を制御するので、印刷品質を保証でき、オペレータに高度なスキルを要求することなく、インキ供給量と湿し水供給量とのバランスを良好に保つことができる。
【００３５】
また、請求項２に対応する発明は、印刷ジョブの情報として絵柄面積率を用いることで、インキ供給量に対しては、インキローラ幅方向に並ぶインキキーのきめ細かい設定が可能となる。また、湿し水供給量に対しては、最も地汚れが起きやすいインキ量が多い重い絵柄部分の品目では地汚れを防ぐため、重い絵柄の無い品目では過乳化を抑えるためのそれぞれ最適な水元ローラの回転数の設定が可能になるため、刷り出しから印刷物としてＯＫシートに近い安定した印刷物が得られる。
【００３６】
また、請求項３に対応する発明は、色管理測定値データと色管理目標値データとの差分に基づいて、インキ供給量補正データを算出し、このインキ供給量補正データに基づいて湿し水供給量補正データを算出するため、インキ供給量と湿し水供給量とのバランスを良好に保つことができる。
【００３７】
さらに、請求項５に対応する発明は、印刷見本のＯＫシートの測定値データを刷りだし時の目標値データとするので、請求項４に対応する作用に加え、ＯＫシート後の印刷色調を非常に安定させることができる。
【００３８】
また、請求項６に対応する発明は、色管理目標値データ及び色管理測定値データを図表によって表示するので、請求項４，５に対応する作用に加え、表示内容の監視を容易にすることができる。
【００３９】
さらに、請求項７に対応する発明は、オフセット印刷機が請求項４〜６の制御演算処理装置を備えたので、請求項４〜６に対応する作用に加え、算出データの転送による時間遅れなどを極力減らすことができ、迅速な制御を期待することができる。
【発明の効果】
【００４０】
以上説明したように本発明によれば、印刷品質を保証でき、オペレータの高度なスキルを用いずに、インキ供給量と湿し水供給量とのバランスを良好に保ち、且つ更なる生産性の向上を期待できるオフセット印刷方法及び装置を提供できる。
【発明を実施するための最良の形態】
【００４１】
以下、本発明の一実施形態について図面を参照して説明する。なお、以下の実施形態は一例であり、本発明を限定するものではない。  
図１は本発明の一実施形態に係るオフセット印刷システムの構成を示す模式図である。オフセット印刷システムは、一般的に、ウェブ（巻取り紙）ｗの巻出し・巻取り経路に沿って、巻出し側から順次、墨印刷ユニットＵＫ、藍印刷ユニットＵＣ、紅印刷ユニットＵＭ及び黄印刷ユニットＵＹが配置されている。各印刷ユニットＵＫ，ＵＣ，ＵＭ，ＵＹは、それぞれインキローラｒ１から供給される該当色のインキを版胴ｒ２及びブランケット胴ｒ３を介してウェブｗに印刷する基本構成を備えている。
【００４２】
本実施形態に係るオフセット印刷システムは、この基本構成に対し、管理ＤＢ１０、操作端末１１、色濃度測定ヘッド１２、インキ量水分量測定ヘッド１３、制御演算処理装置１４及びインキ・湿し水供給量装置１５を設けている。
【００４３】
ここで、管理ＤＢ１０は、操作端末１１及び制御演算処理装置１４から読出／書込可能な記憶装置と、この記憶装置を管理するための管理機能とから構成されている。
【００４４】
記憶装置は、印刷ジョブの絵柄面積率、インキプリセット基礎データ、湿し水プリセット基礎データ、印刷ジョブの色管理目標値データ、インキ量水分量目標値データ、印刷されたウェブｗの色管理測定値データ、インキ量水分量測定値データ、などが記憶されるものである。図２に記憶装置の記憶内容の一部を示す。
【００４５】
インキプリセット基礎データ及び湿し水プリセット基礎データは、ＯＫシート時の各印刷ユニットＵＫ，ＵＣ，ＵＭ，ＵＹ毎のインキ元ローラ回転数、インキキー開度及び水元ローラ回転数であり、インキ・湿し水供給量装置１５より管理ＤＢ１０に送出される。
【００４６】
色管理目標値データは、印刷機として三菱製Ｂ縦オフセット輪転機を用い、且つ絵柄面積率計を使用したオペレータによる従来からのインキ供給量、湿し水供給量調整方法にて、一ヶ月間、様々な印刷ジョブを印刷した結果、色濃度測定ヘッド１２にてウェブｗに印刷されたカラーバーを測定し、得られた色管理測定値データである。ここで、色管理目標値データ及び色管理測定値データは、濃度値又は測色値が使用可能であり、インキ供給量を容易且つ確実に制御する観点から、ここでは濃度値を用いている。
【００４７】
インキ量水分量目標値データは、前述した色管理目標値データを得た際に、インキ量水分量測定ヘッド１３にてインキローラｒ１上のインキ量水分量を測定し、得られたインキ量水分量測定値データである。インキ量水分量データとしては、インキ供給量及び湿し水供給量の制御に適切なデータを用いており、具体的には水膜厚値を用いている。
【００４８】
管理ＤＢ１０の管理機能は、操作端末１１からのアクセスにより記憶装置の読出／書込を制御する機能と、色管理目標値データ及びインキ量水分量目標値データを決定して記憶装置に書込む機能と、制御演算処理装置１４から入力される色管理測定値データ及びインキ量水分量測定値データを記憶装置に書込む機能と、記憶装置内の絵柄面積率データを用いてインキプリセット、湿し水プリセットを決定する機能とをもっている。
【００４９】
操作端末１１は、管理ＤＢ１０及び制御演算処理装置１４にアクセス可能な端末であって、通常のコンピュータ機能を有し、特に、選択画面ｇ１及び表示画面ｇ２を表示する機能をもっている。なお、操作端末１１は、ここでは制御演算処理装置１４とは別の装置として説明するが、これに限らず、制御演算処理装置１４の一部として、制御演算処理装置１４に一体的に設けてもよい。
【００５０】
選択画面ｇ１は、オペレータの操作により、色管理目標値データ及びインキ量水分量目標値データをインキ・湿し水供給量装置１５に設定するための画面である。
【００５１】
表示画面ｇ２は、図３に全体を示し、図４〜図８に図３の部分的な拡大図を示すように、管理ＤＢ１０内の色管理目標値データ及びインキ量水分量目標値データ、色濃度測定ヘッド１２から入力された色管理測定値データ、を図表によって表示するための画面である。さらに、インキ量水分量測定値データも同様に、インキユニット単位に表示することが可能である。図４には、各印刷ユニットの該当色毎に、色管理目標値データ及びインキ量水分量目標値データ（最大値と最小値）が示されている。また図４には、インキ量水分量測定値データがインキ量水分量目標値データの許容範囲にある旨が判定結果“ＯＫ”として間接的に示されている。図５〜図８には、各々の印刷ユニットにおける各インキキー毎に、色管理測定値データが色管理測定値データからの差分として間接的に示されている。
【００５２】
色濃度測定ヘッド１２は、印刷物のカラーバー内のカラーパッチを測定し、得られた色管理測定（ベタ濃度）データを制御演算処理装置１４に入力する機能をもっている。
【００５３】
インキ量水分量測定ヘッド１３は、インキローラｒ１上に存在するインキ量と当該インキの水分量とを測定し、得られたインキ量水分量測定（水膜厚値）データを制御演算処理装置１４に入力する機能をもっている。
【００５４】
制御演算処理装置１４は、色濃度測定ヘッド１２から入力された色管理測定値データと管理ＤＢ１０内の色管理目標値データとを一致させるように、インキ量水分量測定ヘッド１３から入力されたインキ量水分量測定データに基づいて、インキ供給量補正データ及び湿し水供給量補正データを算出する機能と、算出したインキ供給量補正データ及び湿し水供給量補正データに対応する各々の操作量を印刷機のインキ・湿し水供給量装置１５に出力する機能をもっている。
【００５５】
インキ・湿し水供給量装置１５は、制御演算処理装置１４から受けた操作量に基づいて、各印刷ユニットＵＫ，ＵＣ，ＵＭ，ＵＹ毎に、インキ供給量及び湿し水供給量を調整する機能と、管理ＤＢ１０から受けたインキプリセット基礎データ及び湿し水プリセット基礎データに基づいて、各印刷ユニットＵＫ，ＵＣ，ＵＭ，ＵＹ毎に、インキプリセット及び湿し水プリセットを設定する機能をもっている。
【００５６】
次に、以上のように構成されたオフセット印刷システムの動作を図９〜図１１のフローチャートを用いて説明する。図９中、右側のフローチャートはインキ供給量・湿し水供給量の制御の流れを表し、左側のフローチャートは実際の印刷の流れを表している。
【００５７】
前準備（Ｐ１）として、印刷開始前に管理ＤＢ１０によって、インキプリセットと湿し水プリセットが墨、藍、紅、黄印刷ユニットＵＫ，ＵＣ，ＵＭ，ＵＹそれぞれにインキ・湿し水供給量装置１５を介して実施され（Ｓ１）、また、色管理目標値データと湿し水量目標値データが設定される（Ｓ２）。
【００５８】
ここで、ステップＳ１のインキプリセットと湿し水プリセットは、印刷ジョブの絵柄面積率から、適切なインキキー開度や地汚れの発生しない水元ローラの回転数の設定が自動で行われる。ステップＳ２の色管理目標値データと湿し水量目標値データの設定（Ｓ２）は、オペレータが選択してもよく、システムの上位データを利用して管理ＤＢ１０が選択してもよい。オペレータが選択する場合、所定の選択画面ｇ１を用いて設定する。上位データを利用する場合、例えばＣＩＰ４に規定のＪＤＦなどを用いる。
【００５９】
ここでは再版であるとし、オペレータが印刷品目を選定することにより、色管理目標値データとして、Ｋ（黒）：１.６，Ｃ（藍）：１.５，Ｍ（紅）：１.５，Ｙ（黄）：１.２のベタ濃度値（許容値：±０.０７）を得た。湿し水量目標値データとしては、金属ローラｒ１上の水膜厚０.５〜２.０μｍの許容値を得た。
【００６０】
いずれにしても、色管理目標値データ及び湿し水量目標値データの設定の後、実際の印刷を開始する刷りだしを行う（Ｐ２）。
【００６１】
印刷が開始されると、色濃度測定ヘッド１２とインキ量水分量測定ヘッド１３が直ちに測定を開始する。  
色濃度測定ヘッド１２は、ウェブｗのカラーバー内のカラーパッチを測定し、得られた色管理測定値データ（ベタ濃度）を制御演算処理装置１４に入力する。
【００６２】
インキ量水分量測定ヘッド１３は、インキローラｒ１上に存在するインキ量と当該インキの水分量（水膜厚値）とを測定し、得られたインキ量水分量測定値データを制御演算処理装置１４に入力する。
【００６３】
これらの測定値データは、目標値データに一致するように、オンラインで調整される（Ｓ３）。ステップＳ３において、色管理測定値データ及びインキ量水分量測定値データは、目標値データに対して許容値内になるまで継続的に調整される。このとき、インキ供給量及び湿し水供給量の補正データの算出と操作量の指示とは、制御演算処理装置１４にて実施される。
【００６４】
ここで、刷りだし時の制御（Ｓ３）とＯＫシート後の制御（後述するＳ６）とは同一の処理としても良いが、刷りだし時の制御には制御レスポンスを早め、また地汚れを避けることが求められるのに対し、ＯＫシート後の制御には、これに加えてＯＫシートと同一品質に制御することが求められる。このため、刷りだし時の制御とＯＫシート後の制御とは、別々の処理をした方がより理想的である。
【００６５】
次に、ステップＳ３の処理を図１０を参照しながら述べる。  
制御演算処理装置１４では、インキ供給量制御のための演算処理と湿し水供給量制御のための処理が平行して行われる。
【００６６】
まず、刷りだし時のインキ供給量制御のための演算処理では、色管理測定値データと、色管理目標値データとが比較演算され、色管理測定値データが色管理目標値データから許容値（±０.０７）内にあるかが判定される（Ｓ３−１）。
【００６７】
ステップＳ３−１の結果、色管理測定値データと色管理目標値データとの差が許容値を外れた場合、色管理測定値データと色管理目標値データとの差分からインキ供給量補正データを算出する（Ｓ３−２）。
【００６８】
しかる後、インキ供給量補正データと過去の履歴データ並びにインキ量水分量測定値データとを比較演算し、インキ供給量補正データに対して適切な湿し水供給量補正データを算出する（Ｓ３−３）。
【００６９】
続いて、適切なインキ供給量補正データ及び湿し水供給量補正データに対応する各々の操作量がインキ・湿し水供給量装置１５に送出され、インキ供給量と湿し水供給量が制御される（Ｓ３−４）。
【００７０】
一方、ステップＳ３−１の結果、色管理測定値データと色管理目標値データとの差が許容範囲内の場合、インキ量水分量測定値データとインキ量水分量目標値データとが比較演算され、インキ量水分量測定値データが許容値内にあるかが判定される（Ｓ３−５）。
【００７１】
ステップＳ３−５の結果、インキ量水分量における測定値データと目標値データとの差が許容値を外れた場合、ステップＳ３−３，Ｓ３−４により、前述同様に、湿し水供給量を制御する。
【００７２】
また、ステップＳ３−５の結果、インキ量水分量における測定値データと目標値データとの差が許容値内にあると、色管理測定値データ及びインキ量水分量測定値データが安定しているか否かが判定される（Ｓ３−６）。
【００７３】
ステップＳ３−６の結果、不安定であればステップＳ３−１に戻り、安定していれば、制御演算処理装置１４による制御を解除する（Ｓ４）。
【００７４】
この後、オペレータは、色見本を見ながら、僅かにインキ供給量及び湿し水供給量を微調整してＯＫシートを作成した（Ｐ３）。ＯＫシートを得るのに要した印刷枚数は、印刷開始から約２，５００枚であった。
【００７５】
ＯＫシート作成後、制御演算処理装置１４によるインキ供給量、湿し水供給量の制御を再び開始する（Ｓ５）。制御の再開により、色濃度測定ヘッド１２とインキ量水分量測定ヘッド１３が直ちに測定を開始し、印刷直後のウェブｗをオンラインで測定し、得られた色管理測定値データ（ベタ濃度）とインキ量水分量データ（水膜厚値）とが自動的に新たな目標値（ＯＫシートデータ）として管理ＤＢ１０に更新されると同時に、管理ＤＢ１０に新たな測定値データとして更新される。また、インキキー開度データ、インキ元ローラ回転数及び水元ローラ回転数は、インキプリセットと湿し水プリセットの基礎データとして併せて管理ＤＢ１０に更新される。この時の各プリセット用の基礎データは、ある一定時間の変動が許容範囲内である場合にとり込むのが良い。
【００７６】
次の測定から色管理測定値データとインキ量水分量測定値データは、オンラインで新たな目標値（ＯＫシートデータ）と比較演算され、許容値内にあるように継続的に調整される（Ｓ６）。このステップＳ６のオンライン調整は、刷了まで繰り返し実行される。
【００７７】
次に、ステップＳ６の処理を図１１を参照しながら述べる。  
制御演算処理装置１４は、色管理測定値データが色管理目標値データから許容値内であるか否かを判定し（Ｓ６−１）、目標の許容値外の場合、インキ量水分量測定値データが安定状態にあるか否かを判定する（Ｓ６−２）。
【００７８】
ステップＳ６−２の結果、ある一定時間内にインキ量の変動が不安定であれば新たな測定により得られたインキ量水分量データを用いてインキ量の変動が安定するまで繰り返し、ステップＳ６−２（インキ安定性の判定）が行われる。但し、インキ量水分量データは、不安定になると安定しなくなることもよくあるため、繰り返し回数を設定して、これを越えた場合はオペレータに通報して制御を止めるようにしてもよい。
【００７９】
一方、ステップＳ６−２の結果、ある一定時間内にインキ量の変動が安定していれば、色管理測定値データと色管理目標値データとの差分からインキ供給量補正データを算出し（Ｓ６−３）、適切なインキ供給量に戻るように操作量をインキ・湿し水供給量装置１５に送出してインキ供給量を制御する（Ｓ６−４）。
【００８０】
このステップＳ６−４の後、印刷終了（Ｓ６−５：Ｙｅｓ）であればステップＳ７に進み、印刷を継続する（Ｓ６−５：Ｎｏ）のであればステップＳ６−１に戻る。
【００８１】
一方、ステップＳ６−１の結果、色管理測定値データと色管理目標値データとの差が許容範囲内の場合、インキ量水分量測定値データとインキ量水分量目標値データとが比較演算され、インキ量水分量測定値データが許容値内にあるかが判定される（Ｓ６−６）。
【００８２】
ステップＳ６−６の結果、インキ量水分量における測定値データと目標値データとの差が許容値内の場合、印刷終了（Ｓ６−５：Ｙｅｓ）であればステップＳ７に進み、印刷を継続する（Ｓ６−５：Ｎｏ）のであればステップＳ６−１に戻る。  
また、ステップＳ６−６の結果、インキ量水分量における測定値データが目標値データの許容値外の場合、色管理測定値データが安定状態にあるか否かを判定する（Ｓ６−７）。
【００８３】
ステップＳ６−７の結果、ある一定時間内に色管理測定値データ（ベタ濃度）の変動が不安定であれば、ベタ濃度の変動が安定するまで継続してステップＳ６−７（ベタ濃度安定性の判定）が行われる。但し、色管理データは、不安定になると安定しなくなることもよくあるため、繰り返し回数を設定して、これを越えた場合はオペレータに通報して制御を止めるようにしてもよい。
【００８４】
一方、ステップＳ６−７の結果、ある一定時間内にベタ濃度の変動が安定していれば、インキ量水分量測定値データとインキ量水分量目標値データとの差分から湿し水供給量補正データを算出し（Ｓ６−８）、適切な湿し水供給量に戻るように操作量をインキ・湿し水供給量装置１５に送出して湿し水供給量を制御する（Ｓ６−４）。
【００８５】
このステップＳ６−４の後、印刷終了（Ｓ６−５：Ｙｅｓ）であればステップＳ７に進み、印刷を継続する（Ｓ６−５：Ｎｏ）のであればステップＳ６−１に戻る。ステップＳ７に進んだ場合、印刷終了であるので、色管理及び湿し水管理を停止する。  
以上のように制御演算処理装置１４は、演算処理によって得られたインキ供給量補正データと湿し水供給量補正データを算出し、対応する各々の操作量を送出してインキ供給量と湿し水供給量を適切に制御することができる。もしインキ量がある一定時間安定せず、インキ供給量の制御と湿し水供給量の制御が両方ともできない場合は、異常状態であると判断してオペレータにアラームで知らせる。
【００８６】
刷了後、印刷物を目視評価した所、コントラストの高い、表現豊かな印刷物がばらつきなく得られ、非常に良好であった。またＯＫシート作成後は、オペレータが必要以上に印刷物を確認しなくてよかったので、次の印刷ジョブの準備時間を十分取ることができ、印刷ジョブの終了後、次の印刷ジョブの開始まで１０分しか時間がかからなかった。また印刷中に印刷物の抜き取りチェックを実施し、印刷後の色のばらつきを測定した所、ＯＫシートに対し色差が２.５以内であった。このように測色値からも色調が安定している旨を確認できた。
【００８７】
＜比較例＞
比較例は、従来のオペレータによるインキ供給量調整、湿し水供給量調整にて印刷を行ったものである。比較例は、本実施形態と同様に、印刷機として三菱製Ｂ縦オフセット輪転機を用い、絵柄面積率計によるインキプリセットを実施し、印刷開始直後にオペレータによる微調整を行い、ＯＫシートを作成した。この際に、絵柄面積率計によるインキプリセットを実施したので、刷り出し直後からある程度良好な印刷品質を得られたが、一部、湿し水供給量とのバランスが崩れ、地汚れが発生した。直ちにオペレータにより、湿し水供給量を調整したが、比較例のＯＫシートを得るまでに要した印刷枚数は、印刷開始から約５，０００枚に倍増した。
【００８８】
ＯＫシート作成後、オペレータは、印刷品質にばらつきが無いよう、適宜、比較例の印刷物を抜き取って色見本と比較し、必要によりインキキーを微調整した。抜き取った印刷物は、ＯＫシートに対し色差が３.４であり、全体としては色調が安定していたが、一部に光沢がなく、コントラストが低い等、フラットな感じも見られた。フラットな感じが見られた比較例の網点をルーペで観察した所、網点の着きが悪くなっていた。網点の着きが悪い理由は、インキ供給量と湿し水供給量のバランスの崩れによるインキの過乳化が原因と思われる。
【００８９】
刷了後、比較例の印刷物を目視評価したが色調のばらつきが無く、良好であった。しかしながら、比較例は、刷了までオペレータが印刷物を確認する必要があったので、印刷中、次の印刷ジョブの準備ができず、次の印刷ジョブの開始までに３０分もの時間を要した。
【００９０】
上述したように本実施形態によれば、予め印刷見本の絵柄面積率を管理ＤＢ１０が保存してインキプリセット装置（図示せず）に設定可能とし、刷りだし時には、色管理測定値データを管理ＤＢ１０内の色管理目標値データに一致させるように、制御演算処理装置１４がインキ・湿し水供給量装置１５を制御するので、印刷品質を保証でき、オペレータのスキルを用いずに、インキ供給量と湿し水供給量とのバランスを良好に保つことができる。また、インキプリセット装置及びインキ・湿し水供給量装置１５を全て自動的に制御するので、従来と比べ、生産性の向上を期待することができる。
【００９１】
また、データの算出と装置１５の制御とを１台の制御演算処理装置１４により実行するので、算出データの転送による時間遅れなどを極力減らすことができ、迅速な制御を期待することができる。
【００９２】
また、操作端末１１は、色管理目標値データ及び色管理測定値データを図表によって表示するので、表示内容の監視を容易にすることができる。
【００９３】
すなわち、本実施形態によれば、オペレータが実施していたインキ供給量と湿し水供給量調整作業のほとんどを自動化するので、オペレータが容易にＯＫシートを作成することができる。
【００９４】
ＯＫシートの作成後は、そのＯＫシートから得られるＯＫシートデータを新たな目標として自動設定するので、ＯＫシート後も印刷色調が非常に安定するなどの効果を得ることができる。
【００９５】
さらに、地汚れなどの印刷欠陥の撲滅、インキ乳化による印刷品質の低下を防ぐことができる。
【００９６】
なお、本願発明は、上記実施形態そのままに限定されるものではなく、実施段階ではその要旨を逸脱しない範囲で構成要素を変形して具体化できる。  
例えば、上記実施形態は、各印刷ユニットＵＫ，ＵＣ，ＵＭ，ＵＹからなるオフセット印刷機と、インキ・湿し水供給量装置１５と、制御演算処理装置１４とをそれぞれ別々の装置とした場合を説明したが、各印刷ユニットＵＫ，ＵＣ，ＵＭ，ＵＹのうち、いずれか１つの印刷ユニットがインキ・湿し水供給量装置１５及び／又は制御演算処理装置１４を備えた構成に変形してもよい。
【００９７】
この変形例によれば、本実施形態の効果に加え、算出データの転送による時間遅れなどを極力減らすことができ、迅速な制御を期待することができる。
【００９８】
また、上記実施形態に開示されている複数の構成要素の適宜な組合せにより種々の発明を形成できる。例えば、実施形態に示される全構成要素から幾つかの構成要素を削除してもよい。更に、異なる実施形態に亘る構成要素を適宜組合せてもよい。
【図面の簡単な説明】
【００９９】
【図１】本発明の一実施形態に係るオフセット印刷システムの構成を示す模式図である。
【図２】同実施形態における管理ＤＢの構成を示す模式図である。
【図３】同実施形態における表示画面の一例を示す模式図である。
【図４】図３の一部を拡大して示す拡大図である。
【図５】図３の一部を拡大して示す拡大図である。
【図６】図３の一部を拡大して示す拡大図である。
【図７】図３の一部を拡大して示す拡大図である。
【図８】図３の一部を拡大して示す拡大図である。
【図９】同実施形態における動作を説明するためのフローチャートである。
【図１０】同実施形態における動作を説明するためのフローチャートである。
【図１１】同実施形態における動作を説明するためのフローチャートである。
【符号の説明】
【０１００】
ＵＫ，ＵＣ，ＵＭ，ＵＹ…印刷ユニット、ｒ１…インキローラ、ｒ２…版胴、ｒ３…ブランケット胴、ｗ…ウェブ、１０…管理ＤＢ、１１…操作端末、１２…色濃度測定ヘッド、１３…インキ量水分量測定ヘッド、１４…制御演算処理装置、１５…インキ・湿し水供給量装置。
【図１】
2005262474.tif 000003
【図２】
2005262474.tif 000004
【図３】
2005262474.tif 000005
【図４】
2005262474.tif 000006
【図５】
2005262474.tif 000007
【図６】
2005262474.tif 000008
【図７】
2005262474.tif 000009
【図８】
2005262474.tif 000010
【図９】
2005262474.tif 000011
【図１０】
2005262474.tif 000012
【図１１】
2005262474.tif 000013